(57)【要約】【課題】プレート部材を簡単にベース部材に固定できる小型の光制御装置を提供する。【解決手段】光制御装置１０は、光が通過する開口１ａを有するベース部材１と、開口１ａに対して光軸方向に直交する面に沿って移動することにより光を制御する光制御部材１１，１２と、光軸方向における互いに異なる位置に配置され、ベース部材により保持されて光制御部材を移動可能に収容する空間を覆う又は仕切る複数のプレート部材４，５，６とを有する。プレート部材は、その周縁部の複数箇所に被保持部４ｂ，５ｂ，６ｂを有し、ベース部材は、光軸方向に直交する方向から差し込まれた被保持部を光軸方向において挟み込むことによりプレート部材を保持する保持部１ｂ，１ｄ，１ｆを、プレート部材ごとに複数有する。少なくとも２つのプレート部材に対して設けられた保持部が、ベース部材のうち光軸方向において互いに重なる領域に設けられている。【選択図】図３
2012027108.tif 000002
【特許請求の範囲】
【請求項１】
光軸方向に光が通過する開口を有するベース部材と、
前記開口に対して前記光軸方向に直交する面に沿って移動することにより光を制御する光制御部材と、
前記光軸方向における互いに異なる位置に配置され、前記ベース部材により保持されて前記光制御部材を移動可能に収容する空間を覆う又は仕切る複数のプレート部材とを有し、
前記プレート部材は、その周縁部の複数箇所に被保持部を有し、
前記ベース部材は、前記光軸方向に直交する方向から差し込まれた前記被保持部を前記光軸方向において挟み込むことによって前記プレート部材を保持する保持部を、前記プレート部材ごとに複数有し、
前記複数のプレート部材のうち少なくとも２つのプレート部材に対して設けられた前記保持部が、前記ベース部材のうち前記光軸方向において互いに重なる領域に設けられていることを特徴とする光制御装置。
【請求項２】
前記プレート部材は弾性変形が可能な部材であり、
前記光軸方向に直交する方向において弾性変形した前記プレート部材の弾性変形を解除することにより前記被保持部が前記保持部に差し込まれる構造を有することを特徴とする請求項１に記載の光制御装置。
【請求項３】
前記保持部は、前記光軸に直交する方向に深さを有する穴部または凹部を有し、
前記被保持部は、前記穴部または前記凹部に差し込まれることを特徴とする請求項１又は２に記載の光制御装置。
【請求項４】
請求項１から３のいずれか一項に記載の光制御装置を有することを特徴とする光学機器。
【発明の詳細な説明】
【技術分野】
【０００１】
本発明は、遮光羽根や光学フィルタ等の光制御部材を用いて光を制御する光制御装置に関し、さらには該量制御装置を備えたカメラや交換レンズ等の光学機器に関する。
【背景技術】
【０００２】
シャッタ装置や絞り装置等の光制御装置は、シャッタ羽根、絞り羽根等の遮光部材やＮＤフィルタ等の光学フィルタといった光制御部材を、ベース部材に形成された固定開口を通過する光の進行方向（以下、光軸方向という）に直交する面に沿って移動させることで、光の通過／遮断切り替えや通過光量の調節といった光の制御を行う。このような光制御装置は、ベース部材に固定したカバー板によって、光制御部材を移動可能に収容する空間の光軸方向の端面を覆う場合が多い。また、シャッタ羽根と絞り羽根、もしくは絞り羽根と光学フィルタというように複数の光制御部材を互いに独立して移動させることが可能な光制御装置では、ベース部材と光軸方向一端に設けられたカバー板との間又は光軸方向両端に設けられたカバー板の間に仕切り板を配置して、一方の光制御部材を移動可能に収容する空間と他方の光制御部材を移動可能に収容する空間とを仕切ることがある。これにより、一方と他方の光制御部材の移動時の相互干渉を回避することができる。
【０００３】
従来の光制御装置では、特許文献１にて開示されているように、ベース部材にカバー板や仕切り板（以下、まとめてカバー板という）を支える受け部を形成し、該受け部に対してカバー板をねじで固定する構造が採用されていた。また、特許文献２にて開示された光制御装置では、ねじを使用せず、ベース部材に設けた凸部をカバー板に形成した穴部に挿入して該凸部を熱溶融させる熱かしめによってカバー板をベース部材に固定している。さらに、特許文献３にて開示された光制御装置では、カバー板の周縁部の複数箇所に光軸方向に折り曲げられた折り曲げ部を設け、該折り曲げ部をベース部材に設けられたフック部に係合させることによってカバー板をベース部材に固定している。
【先行技術文献】
【特許文献】
【０００４】
【特許文献１】特開２００６−０１１２９３号公報
【特許文献２】特開２００６−２８４８００号公報
【特許文献３】特開２００６−０６５２９７号公報
【発明の概要】
【発明が解決しようとする課題】
【０００５】
しかしながら、特許文献１にて開示された光制御装置のようにねじを用いてカバー板をベース部材に固定する場合、ねじ穴が形成された受け部をベース部材に設ける必要がある。しかも、ベース部材に固定すべきカバー板（仕切り板も含む）が複数ある場合には、それぞれのねじ固定用に別々の箇所に受け部を設ける必要がある。これらの場合、受け部は光制御部材の可動範囲を避けるために該可動範囲よりも径方向（光軸方向に直交する方向）における外側に設けられることがほとんどであるため、光制御装置が径方向に大型化する。
【０００６】
また、特許文献２にて開示された光制御装置でも、熱かしめ用の凸部を有する受け部をベース部材における光制御部材の可動範囲の径方向外側に設けられる必要があるため、同様に光制御装置の大型化につながる。
【０００７】
さらに、特許文献３にて開示された光制御装置では、カバー板の周縁部の複数箇所に、ベース部材のフック部に引っ掛けて固定できる形状や強度を有する折り曲げ部を形成する必要があり、カバー部材の形状や製作が複雑になったり、カバー部材の材料が狭く限定されたりする可能性がある。
【０００８】
本発明は、カバー板や仕切り板等のプレート部材を簡単な構造によってベース部材に固定することが可能な小型の光制御装置を提供する。
【課題を解決するための手段】
【０００９】
本発明の一側面としての光制御装置は、光軸方向に光が通過する開口を有するベース部材と、該開口に対して光軸方向に直交する面に沿って移動することにより光を制御する光制御部材と、光軸方向における互いに異なる位置に配置され、ベース部材により保持されて光制御部材を移動可能に収容する空間を覆う又は仕切る複数のプレート部材とを有する。プレート部材は、その周縁部の複数箇所に被保持部を有し、ベース部材は、光軸方向に直交する方向から差し込まれた被保持部を光軸方向において挟み込むことによってプレート部材を保持する保持部を、プレート部材ごとに複数有する。そして、複数のプレート部材のうち少なくとも２つのプレート部材に対して設けられた保持部が、ベース部材のうち光軸方向において互いに重なる領域に設けられていることを特徴とする。
【００１０】
なお、上記光制御装置を備えた光学機器も本発明の他の一側面を構成する。
【発明の効果】
【００１１】
本発明によれば、簡単な構造により、かつ光制御装置を大型化させることなく、ベース部材にプレート部材を保持させることができる。
【図面の簡単な説明】
【００１２】
【図１】本発明の実施例１である絞りシャッタ装置の構成を示す分解斜視図。
【図２】実施例１の絞りシャッタ装置を地板側から見た図。
【図３】図１のＡ−Ａ線に沿った断面を示す部分断面図。
【図４】実施例１の絞りシャッタ装置を上カバー側から見た図。
【図５】図４中のＢ部の拡大図。
【図６】実施例１の絞りシャッタ装置における地板によって下カバーを保持した状態を示す背面図。
【図７】実施例１の絞りシャッタ装置における地板によって仕切り板を保持した状態を示す背面図。
【図８】実施例１の絞りシャッタ装置における地板によって上カバーを保持した状態を示す背面図。
【図９】本発明の実施例２である絞りシャッタ装置の部分断面図。
【図１０】実施例２の絞りシャッタ装置における地板の部分拡大図。
【図１１】実施例１，２の絞りシャッタ装置を備えたデジタルカメラの概略図。
【発明を実施するための形態】
【００１３】
以下、本発明の実施例について図面を参照しながら説明する。
【実施例１】
【００１４】
図１、図２、図３および図４には、本発明の実施例１である光制御装置としての絞りシャッタ装置の構成を示している。図１は該絞りシャッタ装置を光軸方向に分解して示し、図２および図４は該絞りシャッタ装置を光軸方向における互いに反対側から見て示している。図３は、該絞りシャッタ装置を図２中に示すＡ−Ａ線で切断したときの断面を示している。
【００１５】
図１１に示すように、本実施例の絞りシャッタ装置１０は、光学機器としてのレンズシャッタタイプのデジタルカメラ１００の撮影光学系１０１内に配置され、ＣＣＤセンサやＣＭＯＳセンサ等により構成される撮像素子１０２に対する露光量を制御する。なお、本発明の光制御装置は、レンズシャッタタイプのデジタルカメラだけでなく、交換レンズやビデオカメラ等の光学機器にも用いることができる。
【００１６】
図１〜図４において、１は絞りシャッタ装置１０のベース部材としての地板であり、光軸方向に光が通過する固定開口１ａを有する。ここにいう光軸方向とは、固定開口１ａ（および後述する固定開口５ａ，６ａ）の中心を通り、該固定開口１ａ（５ａ，６ａ）の開口面に直交する軸に相当し、絞りシャッタ装置がカメラの撮影光学系内に配置された場合には、該撮影光学系の光軸方向と一致する。
【００１７】
地板１は、光制御部材としての絞り羽根１１およびシャッタ羽根１２を、固定開口１ａ（および後述する固定開口５ａ，６ａ）に対して、光軸方向に直交する面（図示しない仮想の面であり、以下、光軸直交面という）に沿って移動（回動）可能に保持する。
【００１８】
絞り羽根１１は、その開口部１１ａに不図示のＮＤフィルタ（光学フィルタ）が取り付けられて構成され、光軸直交面に沿ってＮＤフィルタが固定開口１ａを通過する光の光路内に配置される減光位置と、該光路外に退避する開放位置との間で回動する。絞り羽根１１が減光位置に配置されると、ＮＤフィルタの減光作用によって、絞り羽根１１が開放位置に配置される場合に比べて、絞りシャッタ装置１０から射出する光の量が減少する。つまり、絞り羽根１１を減光位置と開放位置とに回動させることで、光の通過量である光量を制御（増減又は調節）することができる。
【００１９】
２枚のシャッタ羽根１２は、光軸直交面に沿って互いに反対方向に回動することで固定開口１ａを開閉し、該固定開口１ａを通過する光をそのまま通したり遮断したりする。これにより、絞りシャッタ装置１０における光の通過と遮断を制御する（切り替える）ことができる。
【００２０】
地板１は、その外周部における互いに位相が異なる２つの領域であって、絞り羽根１１およびシャッタ羽根１２が配置された側とは反対側の領域（以下、背面領域という）において、絞り羽根１１を減光位置と開放位置との間で回動させる絞りアクチュエータ１５と、２枚のシャッタ羽根１２を開閉方向に回動させるシャッタアクチュエータ１６とを保持している。各アクチュエータは、マグネット、ヨークおよびコイルにより構成された電磁アクチュエータ（例えば、ステッピングモータ）である。  
【００２１】
４は光軸直交面に沿うように配置される第１のプレート部材としての下カバーであり、地板１によって保持される。５は光軸直交面に沿うように配置される第２のプレート部材としての仕切り板であり、光軸方向において下カバー４に対して所定の間隔（第１の間隔）をあけた位置（つまりは下カバー４とは異なる位置）にて地板１によって保持される。下カバー４によって光軸方向の一端が覆われ、かつ仕切り板５によって光軸方向の他端が仕切られた空間７（図３参照）には、絞り羽根１１が回動可能に収容される。下カバー４には、絞り羽根１１の回動領域に対応する扇形状の開口４ａが形成されている。
【００２２】
６は光軸直交面に沿うように配置される第３のプレート部材としての上カバーであり、光軸方向における下カバー４とは反対側において仕切り板５に対して所定の間隔（第２の間隔）をあけた位置（つまりは下カバー４および仕切り板５とは異なる位置）にて地板１によって保持される。仕切り板５によって光軸方向の一端が仕切られ、上カバー６によって光軸方向の他端が覆われた空間８（図３参照）には、２枚のシャッタ羽根１２が回動可能に収容される。それぞれ独立して回動可能な絞り羽根１１とシャッタ羽根１２との間に仕切り板５が配置されることで、絞り羽根１１とシャッタ羽根１２の相互干渉が防止される。
【００２３】
仕切り板５と上カバー６には、地板１に形成された固定開口１ａ、さらには絞り羽根１１の開口部１１ａよりも径が小さい固定開口５ａ，６ａが形成されている。
【００２４】
図３に示したアクチュエータ押さえ板２は、前述したアクチュエータ１５，１６における絞り羽根１１やシャッタ羽根１２とは反対側の面を覆うように配置され、地板１に固定される。
【００２５】
３はフレキシブルプリント基板（以下、ＦＰＣという）である。不図示の制御回路は、該ＦＰＣ３を介してアクチュエータ１５，１６のコイルへの通電を制御することで、絞り羽根１１とシャッタ羽根１２を回動させる。ＦＰＣ３のうち３ａと３ｂにより示した部分がシャッタアクチュエータ１６のコイルの端子に接続されている。また、ＦＰＣ３のうち３ｃと３ｄにより示した部分が絞りアクチュエータ１５のコイルの端子に接続されている。
【００２６】
図５は、地板１のうち図３に示したＢ部を矢印方向から見て示している。Ｂ部は、地板１における周方向の複数箇所において周方向および光軸方向に延びるように形成された壁部のうちの１つを示している。
【００２７】
ここで、図６に示すように、下カバー４の周縁部の複数箇所には、光軸方向に対して直交する方向（以下、径方向という）の外側に突出する凸部４ｂが形成されている。
【００２８】
そして、地板１における周方向の複数箇所に設けられた壁部（Ｂ部）には、凸部４ｂを径方向内側から差し込むことが可能なスリット穴形状を有する穴部１ｂが形成されている。穴部１ｂの光軸方向両側には、地板１における固定開口１ａが形成された光軸直交面部１ｈと、壁部の内面のうち光軸直交面部１ｈに対して下カバー４（凸部４ｂ）の厚み分だけ離れた位置から径方向内側に突出するリブ部１ｉとが設けられている。穴部１ｂ、リブ部１ｉおよび光軸直交面部１ｈによって、下カバー４の凸部４ｂ用の保持部が構成される。
【００２９】
穴部１ｂに凸部４ｂが差し込まれると、下カバー４のうち凸部４ｂおよびその周辺部を含む被保持部は、光軸方向においてリブ部１ｉと光軸直交面部１ｈとの間に挟み込まれて保持される。また、凸部４ｂはリブ部１ｉに対して、光軸方向だけでなく、周方向でも係合する。これにより、下カバー４の光軸方向および周方向への変位が阻止される。
【００３０】
さらに、下カバー４の周縁部における凸部４ｂが形成された箇所以外の複数の部分（被保持部）４ｃは、地板１における穴部１ｂが形成された壁部（Ｂ部）以外の壁部の内側に形成された爪部（保持部）１ｃと光軸直交面部１ｈとの間の凹部（図示せず）に径方向内側から差し込まれる。これにより、下カバー４のうち部分４ｃおよびその周辺部は、光軸方向において爪部１ｃと光軸直交面部１ｈとの間に挟み込まれて保持される。このとき、部分４ｃが爪部１ｃと光軸方向にて係合するため、下カバー４の光軸方向への変位が阻止される。
【００３１】
このようにして、下カバー４は地板１により保持される（すなわち、地板１に固定される）。なお、下カバー４は、プラスチックシート等の弾性変形が可能な（可撓性を有する）部材である。凸部４ｂおよび部分４ｃをそれぞれ穴部１ｂおよび凹部に差し込む際には、下カバー４を径方向内側に弾性変形させた状態で地板１に対して固定すべき光軸方向位置に配置するとともに、凸部４ｂおよび部分４ｃの位相をそれぞれ穴部１ｂおよび凹部の位相に合わせる。そして、下カバー４の弾性変形を解除することで、凸部４ｂおよび部分４ｃがそれぞれ穴部１ｂおよび凹部に差し込まれ、これにより下カバー４を地板１に対して固定することができる。このように、本実施例では、下カバー４をねじや熱かしめを用いることなく、簡単な保持構造によって地板１に保持させることができる。
【００３２】
仕切り板５および上カバー６も、それぞれ図７および図８に示すように、下カバー４と同様の構造によって地板１に保持される。
【００３３】
すなわち、図７に示すように、仕切り板５の周縁部の複数箇所には、径方向外側に突出する凸部５ｂが形成されている。一方、図５に示すように、地板１の壁部（Ｂ部）には、凸部５ｂを径方向内側から差し込むことが可能なスリット穴形状を有する穴部１ｄが形成されている。穴部１ｄは、上述した下カバー４用の穴部１ｂに対して、光軸方向においては上記第１の間隔をあけた位置であり、かつ周方向においては隣り合う（異なる）位相領域に形成されている。
【００３４】
穴部１ｄの光軸方向両側には、壁部の部分１ｍと、壁部の内面のうち部分１ｍに対して仕切り板５（凸部５ｂ）の厚み分だけ離れた位置から径方向内側に突出するリブ部（保持部）１ｋとが設けられている。穴部１ｄ、壁部の部分１ｍおよびリブ部１ｋによって仕切り板５の凸部５ｂ用の保持部が構成される。
【００３５】
穴部１ｄに凸部５ｂが差し込まれると、仕切り板５のうち凸部５ｂおよびその周辺部を含む被保持部は、光軸方向において壁部の部分１ｍとリブ部１ｋとの間に挟み込まれて保持される。また、凸部５ｂは、壁部の部分１ｍに、光軸方向だけでなく、周方向でも係合する。これにより、仕切り板５の光軸方向および周方向への変位が阻止される。
【００３６】
さらに、図７には代表して１箇所のみを示しているが、仕切り板５の周縁部における凸部５ｂが形成された箇所以外の複数の部分（被保持部）５ｃが、地板１における穴部１ｄが形成された壁部（Ｂ部）以外の壁部の内側に形成された二股爪部（保持部）１ｐの間の凹部（図示せず）に径方向内側から差し込まれる。これにより、仕切り板５のうち部分５ｃおよびその周辺部は、光軸方向において二股爪部１ｐの間に挟み込まれて保持される。このとき、部分５ｃが二股爪部１ｐと光軸方向にて係合するため、仕切り板５の光軸方向への変位が阻止される。
【００３７】
このようにして、仕切り板５は地板１により保持される（すなわち、地板１に固定される）。なお、仕切り板５も、プラスチックシート等の弾性変形が可能な（可撓性を有する）部材である。凸部５ｂおよび部分５ｃをそれぞれ穴部１ｄおよび凹部に差し込む際には、下カバー４と同様に仕切り板５の弾性変形（およびその解除）を利用する。このように、本実施例では、仕切り板５もねじや熱かしめを用いることなく、簡単な保持構造によって地板１に保持させることができる。
【００３８】
図８に示すように、上カバー６の周縁部の複数箇所には、径方向外側に突出する凸部６ｂが形成されている。一方、図５に示すように、地板１の壁部（Ｂ部）には、凸部６ｂを径方向内側から差し込むことが可能なスリット穴形状を有する穴部１ｆが形成されている。穴部１ｆは、上述した仕切り板５用の穴部１ｄに対して、光軸方向においては上記第２の間隔をあけた位置に形成されている。また、穴部１ｆは、周方向において、上述した下カバー４用の穴部１ｂと同じ位相領域に形成されている。言い換えれば、上カバー６用の保持部（１ｆ，１ｎ，１ｉ）は、下カバー４用の保持部（１ｂ，１ｉ，１ｈ）と光軸方向において互いに重なる領域に設けられている。
【００３９】
穴部１ｆの光軸方向両側には、壁部の部分（保持部）１ｎと、壁部の内面のうち部分１ｎに対して上カバー６（凸部６ｂ）の厚み分だけ離れた位置から径方向内側に突出した、上述した下カバー４と共用のリブ部１ｉとが設けられている。穴部１ｆ、壁部の部分１ｎおよびリブ部１ｉによって、上カバー６の凸部６ｂ用の保持部が構成される。
【００４０】
穴部１ｆに凸部６ｂが差し込まれると、上カバー６のうち凸部６ｂおよびその周辺部を含む被保持部は、光軸方向において壁部の部分１ｎとリブ部１ｉとの間に挟み込まれて保持される。また、凸部６ｂは、壁部の部分１ｎに光軸方向だけでなく、周方向でも係合する。これにより、上カバー６の光軸方向および周方向への変位が阻止される。
【００４１】
さらに、図８には代表して２箇所のみを示しているが、上カバー６の周縁部における凸部６ｂが形成された箇所以外の複数の部分（被保持部）６ｃが、地板１における穴部１ｆが形成された壁部（Ｂ部）以外の壁部の内側に形成された二股爪部（保持部）１ｒの間の凹部（図示せず）に径方向内側から差し込まれる。これにより、上カバー６のうち部分６ｃおよびその周辺部は、光軸方向において二股爪部１ｒの間に挟み込まれて保持される。このとき、部分６ｃは、二股爪部１ｒと光軸方向にて係合するので、上カバー６の光軸方向への変位が阻止される。
【００４２】
このようにして、上カバー６は地板１により保持される（すなわち、地板１に固定される）。なお、上カバー６も、プラスチックシート等の弾性変形が可能な（可撓性を有する）部材である。凸部６ｂおよび部分６ｃをそれぞれ穴部１ｆおよび凹部に差し込む際には、下カバー４や仕切り板５と同様に上カバー６の弾性変形（およびその解除）を利用する。このように、本実施例では、上カバー６もねじや熱かしめを用いることなく、簡単な保持構造によって地板１に保持させることができる。
【００４３】
以上説明したように、本実施例では、下カバー４、仕切り板５および上カバー６といった複数のプレート部材の周縁部を、地板１の壁部に設けられた保持部に径方向において差し込んで挟み込ませることによって地板１に保持させる。これにより、絞りシャッタ装置の地板として本来必要な壁部を有効利用して複数のプレート部材を保持することができ、これらプレート部材の保持構造を簡単化して、地板および絞りシャッタ装置を小型化することができる。特に、ねじ穴や熱かしめ用の凸部を有する広い面積が必要な受け部を地板に設ける従来の場合のように地板や装置が径方向に大型化するのを回避することができる。
【実施例２】
【００４４】
図９および図１０には、本発明の実施例２である絞りシャッタ装置の構成を示している。図９は、絞りシャッタ装置の一部の断面を示しており、１′は地板である。この断面は、実施例１にて図３に示した断面に相当する。また、図１０は、実施例１にて図５に示した壁部（Ｂ部）に相当する地板１′の壁部を示している。４，５，６は実施例１で説明した下カバー、仕切り板および上カバーである。
【００４５】
本実施例でも、地板１′の壁部に、下カバー４、仕切り板５および上カバー６の周縁部に形成された凸部４ｂ，５ｂ，６ｂがそれぞれ径方向内側から差し込まれるスリット穴形状を有する穴部１ｂ′，１ｄ′，１ｆ′が形成されている。ただし、本実施例では、下カバー４、仕切り板５および上カバー６用の穴部１ｂ′，１ｄ′，１ｆ′と後述する保持部が、周方向において互いに同じ位相領域、言い換えれば光軸方向において互いに重なる領域に設けられている。
【００４６】
穴部１ｂ′の光軸方向一方には、地板１′のうち固定開口（図示せず）が形成された光軸直交面部１ｈ′が設けられている。穴部１ｂ′に下カバー４の凸部４ｂが差し込まれることにより、下カバー４のうち凸部４ｂおよびその周辺部は、光軸方向において、壁部における穴部１ｂ′に隣接した部分と光軸直交面部１ｈ′との間に挟み込まれて保持される。壁部における穴部１ｂ′と該穴部１ｂ′に隣接した部分とにより下カバー４の凸部４ｂ用の保持部が構成される。また、凸部４ｂは、壁部における穴部１ｂ′に隣接した部分に、光軸方向だけでなく、周方向でも係合する。これにより、下カバー４の光軸方向および周方向への変位が阻止される。
【００４７】
さらに、穴部１ｄ′，１ｆ′に仕切り板５および上カバー６の凸部５ｂ，６ｂが差し込まれることにより、仕切り板５および上カバー６のうち凸部５ｂ，６ｂはそれぞれ、光軸方向において、壁部における穴部１ｄ′，１ｆ′に隣接した部分の間に挟み込まれて保持される。壁部における穴部１ｄ′，１ｆ′′と該穴部１ｄ′，１ｆ′に隣接した部分とにより仕切り板５および上カバー６の凸部５ｂ，６ｂ用の保持部が構成される。また、凸部５ｂ，６ｂは、壁部における穴部１ｄ′，１ｆ′に隣接した部分に、光軸方向だけでなく、周方向でも係合する。これにより、仕切り板５および上カバー６の光軸方向および周方向への変位が阻止される。
【００４８】
下カバー４、仕切り板５および上カバー６の周縁部のうち凸部４ｂ，５ｂ，６ｂが形成された部分以外の部分については、実施例１と同様にして地板１に保持される。
【００４９】
本実施例によれば、実施例１のように地板の壁部の内側にリブ部を設けていないので、実施例１に比べてさらに複数のプレート部材の保持構造を簡略化することができ、地板および絞りシャッタ装置の径方向のより小型化が可能である。
【００５０】
以上説明した各実施例は代表的な例にすぎず、本発明の実施に際しては、各実施例に対して種々の変形や変更が可能である。
【産業上の利用可能性】
【００５１】
小型の光制御装置およびこれを備えた光学機器を提供できる。
【符号の説明】
【００５２】
１，１′  地板
１ｂ，１ｄ，１ｆ，１ｂ′，１ｄ′，１ｆ′  穴部
４  下カバー
５  仕切り板
６  上カバー
４ｂ，５ｂ，６ｂ  凸部
１１  絞り羽根
１２  シャッタ羽根
【図１】
2012027108.tif 000003
【図２】
2012027108.tif 000004
【図３】
2012027108.tif 000005
【図４】
2012027108.tif 000006
【図５】
2012027108.tif 000007
【図６】
2012027108.tif 000008
【図７】
2012027108.tif 000009
【図８】
2012027108.tif 000010
【図９】
2012027108.tif 000011
【図１０】
2012027108.tif 000012
【図１１】
2012027108.tif 000013